【事件の表示】
　特願２０１２−１８５２２０「放電ランプ用陰極」拒絶査定不服審判事件〔平成２６年　３月１３日出願公開、特開２０１４−　４４８１１、請求項の数（１）〕について、次のとおり審決する。
【結　論】
　原査定を取り消す。
　本願の発明は、特許すべきものとする。
【理　由】
第１　手続の経緯
　本願は、平成２４年８月２４日の出願であって、平成２８年５月２４日付けで拒絶理由が通知され、平成２８年７月１４日付けで手続補正書及び意見書が提出され、平成２８年１０月２１日付けで拒絶査定（以下、「原査定」という。）がされ、平成２９年１月３１日に拒絶査定不服審判が請求されると同時に手続補正がなされ、その後、当審において、平成２９年９月７日付けで拒絶理由（以下、「当審拒絶理由」という。）が通知され、平成２９年１０月２５日付けで手続補正書及び意見書が提出されたものである。
第２　本願発明
　本願の請求項１に係る発明（以下、「本願発明」という。）は、平成２９年１０月２５日付けの手続補正で補正された特許請求の範囲の請求項１に特定される発明であり、本願発明は以下のとおりである。
「【請求項１】
一端に尖頭を有する電子放出部焼結体と高融点金属製母材とからなる放電ランプ用陰極であって、  前記電子放出部焼結体の前記一端に対向する他端が、前記高融点金属製母材の先端部に埋設あるいは溶接され、　前記放電ランプ用陰極は針状にとがっている形状・構造であって、  前記尖頭の先端は、前記尖頭の先端角度が９５°の円錐立体角を有し、　前記尖頭の先端部形状が半球状であり、かつこの半球寸法半径が０．０５ｍｍ〜０．５ｍｍである　ことを特徴とする放電ランプ用陰極。」
第３　引用文献の記載事項
１　引用文献１について
　原査定の拒絶の理由に引用された引用文献１（特開２００５−１６６３８２号公報）には、図面とともに次の事項が記載されている（下線は審決で付した。以下同じ。）。
（１）「【００１８】
　さらに、
陰極本体
先端部分が尖頭状に形成され
陰極本体は高融点金属材料の粉体と易電子放出物質の粉体とを混合して焼結し
【発明を実施するための最良の形態】
【００１９】
　以下、本発明を図面に示す具体例に基づいて詳細に説明する。図１ないし図３は本発明に係る
ガス放電灯の
【００２０】
　バルブ１０のガス封入部１７には
陰極
【００２１】
　陽極は例えばタングステンを用いて断面ほぼ円形の棒状に製作されている。また、
陰極
は陰極本体
と基体
とから構成され
基体
高融点金属材料
を用いて製作されている
この基体
は全体が
断面ほぼ円形の棒状をなし、先端部は円錐台状にテーパー加工され、その先端面には嵌込み凹部
が凹設されている。
【００２２】
　陰極本体１４０は例えば易電子放出物質、例えばバリウムを含有する多孔質高融点金属材料、例えば多孔質タングステンを用いてほぼ円柱状に製作され、先端部分は円錐尖頭状にテーパー形成されている。
この陰極本体
は基体
の嵌込み凹部
内に嵌め込まれて固定され
（２）上記（１）から、引用文献１には、
「先端部分が尖頭状に形成され高融点金属材料の粉体と易電子放出物質の粉体とを混合して焼結した陰極本体と高融点金属材料を用いて製作されている基体とから構成されたガス放電灯の陰極であって、この陰極本体は基体の嵌込み凹部内に嵌め込まれて固定され、この基体は全体が断面ほぼ円形の棒状をなし、先端部は円錐台状にテーパー加工され、その先端面には嵌込み凹部が凹設されているガス放電灯の陰極。」の発明（以下「引用発明１」という。）が記載されているものと認められる。
２　引用文献２について
　原査定の拒絶の理由に引用された引用文献２（特開２００２−２６０５８９号公報）には、図面とともに次の事項が記載されている。
（１）「【０００１】
【発明の属する技術分野】本発明は、互いに対向位置する陰極および陽極の他に少なくともキセノンから成る封入物を含む放電管を備え、
陰極
ショートアーク形高圧放電ランプ
（２）「【００１１】寿命期間全体に亘って最適な輝度分布を得るために、
陰極の円錐状端部部分の先端部が半球に形成され、
（３）上記（１）及び（２）から、引用文献２には、
「円錐状端部部分の先端部が半球に形成されたショートアーク形高圧放電ランプの陰極。」の発明（以下「引用発明２」という。）が記載されているものと認められる。
第４　対比・判断
１　対比
　本願発明と引用発明１を対比すると、次のことがいえる。
（１）引用発明１の「先端部分が尖頭状に形成され高融点金属材料の粉体と易電子放出物質の粉体とを混合して焼結した陰極本体」は、本願発明の「一端に尖頭を有する電子放出部焼結体」に、引用発明１の「高融点金属材料を用いて製作されている基体」は、本願発明の「高融点金属製母材」に、引用発明１の「ガス放電灯の陰極」は、本願発明の「放電ランプ用陰極」に、それぞれ相当し、引用発明１の「この陰極本体は基体の嵌込み凹部内に嵌め込まれて固定」と、本願発明の「前記電子放出部焼結体の前記一端に対向する他端が、前記高融点金属製母材の先端部に埋設あるいは溶接」とは、「前記電子放出部焼結体の前記一端に対向する他端が、前記高融点金属製母材の先端部に埋設」の点で一致する。
（２）引用発明１において「陰極本体」は「先端部分が尖頭状に形成され」ており、「基体は全体が断面ほぼ円形の棒状をなし、先端部は円錐台状にテーパー加工され、その先端面には嵌込み凹部が凹設され」、「この陰極本体は基体の嵌込み凹部内に嵌め込まれて固定され」ているので、「陰極本体と」「基体とから構成されたガス放電灯の陰極」は、針状にとがっている形状・構造であるものと認められる。
　そうすると、引用発明１の「『陰極本体と』『基体とから構成されたガス放電灯の陰極であって、』『基体は全体が断面ほぼ円形の棒状をなし、』『陰極本体』の『先端部分が尖頭状に形成され』」は、本願発明の「放電ランプ用陰極は針状にとがっている形状・構造である」に、相当する。
（３）上記（１）及び（２）から、本願発明と引用発明１との間には、次の一致点、相違点がある。
（一致点）
「一端に尖頭を有する電子放出部焼結体と高融点金属製母材とからなる放電ランプ用陰極であって、前記電子放出部焼結体の前記一端に対向する他端が、前記高融点金属製母材の先端部に埋設され、前記放電ランプ用陰極は針状にとがっている形状・構造である放電ランプ用陰極。」
（相違点）
　放電ランプ用陰極が、本願発明では「前記尖頭の先端は、前記尖頭の先端角度が９５°の円錐立体角を有し、前記尖頭の先端部形状が半球状であり、かつこの半球寸法半径が０．０５ｍｍ〜０．５ｍｍである」のに対し、引用発明１ではそのような特定がない点。
２　判断
　引用文献２には、上記相違点の構成は記載されていないから、上記相違点は、引用発明１に引用文献２に記載された技術を採用して容易に想到し得たものではない。そして、本願発明は上記相違点の構成を備えることで、「易電子放射物質を含浸させた含浸型電極である電子放出部焼結体からなる放電ランプ用陰極において、陰極からの安定した電子放出を実現し、長寿命で高安定な放電を維持すると伴に、高輝度の放電ランプ用陰極を提供することができる。」という本願明細書記載の効果を奏するものである。
　したがって、本願発明は、引用発明１及び引用発明２に基づいて、当業者が容易に発明することができたものとはいえない。
第５　原査定の概要及び拒絶査定の判断
　原査定は、請求項１に係る発明について、上記引用文献１に記載の発明において、上記引用文献２に記載の発明を採用することにより、当業者が容易に想到しうるものであるから、特許法第２９条第２項の規定により特許を受けることができないというものである。しかしながら、上記のとおり、平成２９年１０月２５日付けの手続補正で補正された請求項１に係る発明は、上記引用文献１に記載の発明及び上記引用文献２に記載の発明に基づいて、当業者が容易に発明をすることができたものとはいえない。
　よって、原査定を維持することはできない。
第６　当審拒絶理由について
　当審では、特許法第３６条第６項第１号及び特許法第３６条第６項第２号に規定する要件を満たしていないとの拒絶理由を通知しているが、平成２９年１０月２５日付けの手続補正で補正された結果、この拒絶理由は解消した。
第７　むすび
　以上のとおり、原査定の理由によって、本願を拒絶することはできない。
　また、他に本願を拒絶すべき理由を発見しない。
　よって、結論のとおり審決する。